(57)【要約】【課題】遊技領域を最大限まで拡大することを可能にした遊技機を提供する。【解決手段】球移動領域が形成される遊技盤と、該遊技盤を収納する遊技盤収納部が形成された内枠と、を備えた遊技機において、前記球移動領域は、遊技球が転動する遊技領域と、該遊技領域へ向けて発射された遊技球を誘導する球発射通路と、から形成されるとともに、前記遊技盤を区画することによって該遊技領域と該球発射通路とを形成する区画部材を有し、前記内枠は、前記区画部材と接続することによって、遊技球を誘導可能な球移動領域の一部を形成する。【選択図】図３
2007181529.tif 000002
【特許請求の範囲】
【請求項１】
球移動領域が形成される遊技盤と、
該遊技盤を収納する遊技盤収納部が形成された内枠と、を備えた遊技機において、
前記球移動領域は、遊技球が転動する遊技領域と、該遊技領域へ向けて発射された遊技球を誘導する球発射通路と、から形成されるとともに、前記遊技盤を区画することによって該遊技領域と該球発射通路とを形成する区画部材を有し、
前記内枠は、前記区画部材と接続することによって、前記球移動領域の一部を形成することを特徴とする遊技機。
【請求項２】
前記内枠は、前記区画部材と接続することによって、前記球発射通路の一部を形成することを特徴とする請求項１に記載の遊技機。
【請求項３】
前記内枠は、前記区画部材と接続することによって、前記遊技領域の一部を形成することを特徴とする請求項１に記載の遊技機。
【請求項４】
前記内枠に形成された球発射通路の一部の底面部は、前記遊技盤の表面と面一に形成されるとともに、前記球発射通路の壁部は、遊技領域側へ傾斜していることを特徴とする請求項２に記載の遊技機。
【請求項５】
前記内枠は、
当該内枠の内周縁上部に突設される引掛片と、
当該内枠の内周縁部に複数設けられ、前記遊技盤を当該内枠に止着するための止着部材と、を有し、
前記区画部材は、
当該区画部材の上辺部に形成され、前記引掛片に係合する取付部と、
当該区画部材の周縁部に形成され、前記内枠に止着するために止着部材と係合する止着部材受部と、を有し、
前記引掛片を前記取付部に係合させてから、前記止着部材受部に止着部材を止着させることにより、前記遊技盤を前記内枠に取り付けることを特徴とする請求項１から４のいずれか一つに記載の遊技機。
【発明の詳細な説明】
【技術分野】
【０００１】
本発明は、遊技球を用いる遊技機の遊技領域に関し、特に、遊技に使用される領域の拡大を図る遊技機に関する。
【背景技術】
【０００２】
従来、内枠の前面に、遊技盤の遊技領域を囲むように内周面にレール案内部を成形した覆い部材を取り付けた外側レールを取り付けることで、遊技盤交換時に外側レールを移し替える作業を省くとともに、前面枠本体の簡素化を図り、制作費を軽減する遊技機が提案されている（例えば、特許文献１参照。）。
【特許文献１】特開２００５−１４３９８５号公報
【発明の開示】
【発明が解決しようとする課題】
【０００３】
前述した従来の遊技機では、内枠に遊技球を案内する外側レールのほぼ全体を取り付けることになるので、遊技領域の大幅な確保をすることはできず、かえって遊技領域を狭めることになっていた。
【０００４】
そこで本発明は、上記のような問題点を解決するためになされたもので、遊技に使用される領域を最大限まで拡大することを可能にした遊技機を提供することを目的とする。
【課題を解決するための手段】
【０００５】
第１の発明は、球移動領域が形成される遊技盤と、該遊技盤を収納する遊技盤収納部が形成された内枠と、を備えた遊技機において、前記球移動領域は、遊技球が転動する遊技領域と、該遊技領域へ向けて発射された遊技球を誘導する球発射通路と、から形成されるとともに、前記遊技盤を区画することによって該遊技領域と該球発射通路とを形成する区画部材を有し、前記内枠は、前記区画部材と接続することによって、遊技球を誘導可能な球移動領域の一部を形成する。
【０００６】
第２の発明は、第１の発明において、前記内枠は、前記区画部材と接続することによって、前記球発射通路の一部を形成する。
【０００７】
第３の発明は、第１の発明において、前記内枠は、前記区画部材と接続することによって、前記遊技領域の一部を形成する。
【０００８】
第４の発明は、第２の発明において、前記内枠に形成された球発射通路の一部の底面部は、前記遊技盤の表面と面一に形成されるとともに、前記球発射通路の壁部は、遊技領域側へ傾斜している。
【０００９】
第５の発明は、第１〜第４の発明において、前記内枠は、当該内枠の内周縁上部に突設される引掛片と、当該内枠の内周縁部に複数設けられ、前記遊技盤を当該内枠に止着するための止着部材と、を有し、前記区画部材は、当該区画部材の上辺部に形成され、前記引掛片に係合する取付部と、当該区画部材の周縁部に形成され、前記内枠に止着するために止着部材と係合する止着部材受部と、を有し、前記引掛片を前記取付部に係合させてから、前記止着部材受部に止着部材を止着させることにより、前記遊技盤を前記内枠に取り付ける。
【発明の効果】
【００１０】
第１の発明によれば、球移動領域が形成される遊技盤と、該遊技盤を収納する遊技盤収納部が形成された内枠と、を備えた遊技機において、前記球移動領域は、遊技球が転動する遊技領域と、該遊技領域へ向けて発射された遊技球を誘導する球発射通路と、から形成されるとともに、前記遊技盤を区画することによって該遊技領域と該球発射通路とを形成する区画部材を有し、前記内枠は、前記区画部材と接続することによって、遊技球を誘導可能な球移動領域の一部を形成するので、遊技に使用される領域を遊技盤外部の内枠にまで拡大することが可能となる。
【００１１】
第２の発明によれば、前記内枠は、前記区画部材と接続することによって、前記球発射通路の一部を形成するので、球発射通路を内枠に設けることで、遊技盤上の球発射通路の面積を減少させることが可能となり、これによって遊技領域を拡大することができる。
【００１２】
第３の発明によれば、前記内枠は、前記区画部材と接続することによって、前記遊技領域の一部を形成するので、内枠を用いて遊技領域を拡大することができる。
【００１３】
第４の発明によれば、前記内枠に形成された球発射通路の一部の底面部は、前記遊技盤の表面と面一に形成されるとともに、前記球発射通路の壁部は、遊技領域側へ傾斜しているので、区画部材と内枠に球発射通路を分割構成した場合でも、発射された遊技球の流れに支障を来すことなくスムーズに遊技球を誘導することができ、球移動領域の遊技球の転動に与える影響を低減させることが可能となる。
【００１４】
第５の発明によれば、前記内枠は、当該内枠の内周縁上部に突設される引掛片と、当該内枠の内周縁部に複数設けられ、前記遊技盤を当該内枠に止着するための止着部材と、を有し、前記区画部材は、当該区画部材の上辺部に形成され、前記引掛片に係合する取付部と、当該区画部材の周縁部に形成され、前記内枠に止着するために止着部材と係合する止着部材受部と、を有し、前記引掛片を前記取付部に係合させてから、前記止着部材受部に止着部材を止着させることにより、前記遊技盤を前記内枠に取り付けるので、遊技盤を取り付ける際に上部を優先的に取り付けるようにしたことによって、横方向に無駄なスペースを確保しておく必要がなく、遊技機内部の遊技に使用される領域を効率的に確保することが可能となる。
【発明を実施するための最良の形態】
【００１５】
以下、本発明の実施の形態について、図面を参照して説明する。
【００１６】
（第１の実施の形態）
図１は、本発明の第１の実施の形態の遊技機（パチンコ機）１の正面図である。また、図２は、本発明の第１の実施の形態のガラス枠８が開放された内枠２３の正面図である。
【００１７】
遊技機１の前面枠３は、機枠２にヒンジ４ａを介して開閉回動可能に組み付けられ、遊技盤５は前面枠３の裏面に取り付けられた収納フレームに収納される。後述する遊技領域７の前面は、内枠２３にヒンジ４ｂを介して開閉可能に取り付けられたガラス枠８に組み込まれたカバーガラス９で覆われる。ガラス枠８の前面は、略円形状の開口部１０ａが形成される。
【００１８】
なお、図２では、カバーガラス９を介して透過されるガラス枠８の前面の装飾部材の図示を省略する。図２において、ガラス枠８の裏面に形成された略半円状の枠は、カバーガラス９を固定するための部材に形成された開口枠であって、ガラス枠８の前面からその形状を視認できない。つまり、当該枠の形状は、ガラス枠８の前面に形成された開口部１０ａの形状と対応しない。
【００１９】
遊技盤５の表面には、外側レール６ａ及び内側レール６ｂ（図１の点線）、この内側レール６ｂで囲われた略円形状の遊技領域７並びに外側レール６ａ及び内側レール６ｂに挟まれて構成され、遊技領域７に向けて発射された遊技球を遊技領域７に誘導する球発射通路１２１が形成される。外側レール６ｂには、後述する金属製のガイドレール４９が取付けられる。このガイドレール４９が発射された遊技球を滑らかに遊技領域７へ誘導する。
【００２０】
遊技機１の球発射通路１２１は、ガラス枠８内のガラス９を透して視認可能である（図２参照）。
【００２１】
遊技盤５は、遊技領域７及び球発射通路１２１から形成される球移動領域１２２並びに樹脂製の区画部材４５によって構成される（図２参照）。この区画部材４５は、発射装置から発射された遊技球を遊技領域７へ案内し、球発射通路１２１及び遊技領域７の球発射通路側（図４左側）を区画する第１区画部材４６と、該第１区画部材４６の一端（図４右上端）に隣接した状態で遊技盤５に固定され、遊技領域７の右上側を区画する第２区画部材４７と、上記第１区画部材４６の他端（図４右下端）に隣接した状態で遊技盤５に固定されているとともに第２区画部材４７に隣接した状態で固定され、遊技領域７の右下側を区画する第３区画部材４８とに３分割して構成されている。
【００２２】
区画部材４５の一部を構成し、遊技領域７の右下に設けられた後述する第３区画部材４８は、前面の中央部が黒色透明の証紙プレート３０１で覆われている。そして、証紙プレート３０１に覆われた領域内には、三連の７セグメントＬＥＤよりなる遊技状態表示器１１が、開口部１０ａを通して視認できる位置に設けられている。この７セグメントＬＥＤは、発光した状態では証紙プレート３０１を透過して視認可能である。
【００２３】
前面枠３の要所には、装飾用ランプ、ＬＥＤ等の装飾発光装置１２が設けられ、これらの装飾発光装置１２は、大当り等のイベント発生時に遊技の進行に応じて発光する。前面枠３の下部には、遊技球を発射装置に案内する上皿１３、下皿１４及び打球発射装置の操作部１５が配設される。
【００２４】
上皿１３の右上部には、球貸しを指令する球貸スイッチ１７、及び、カードの返却を指令する返却ボタン１８が設けられる。これらのボタン１７、１８の右上方には、遊技球の残数（カードの残高）を表示する残存球表示部１９が設けられる。また、下皿１４の左には、スピーカ２０及び灰皿２１が設けられる。
【００２５】
図３は、本発明の第１の実施の形態の遊技盤５と内枠２３の説明図である。図３（Ａ）は、区画部材４５が取り付けられた遊技盤５の説明図である。図３（Ｂ）は、遊技機正面から見て左側に、区画部４１によって球移動部４０が形成された内枠２３の説明図である。
【００２６】
遊技盤５は、図３（Ａ）に示すように、後述する第１区画部材４６、第２区画部材４７、第３区画部材４８及びガイドレール４９等の区画部材が取付けられている。
【００２７】
また、ガイドレール４９の左端は、遊技盤５からはみ出している。このガイドレール４９のはみ出した部分を保護すべく、運搬時、保管時などには、遊技盤５の左端にガイドレール保護部材３６を取付けて保護することもできる。これによって、薄い金属性のガイドレール４９を、運搬時や保管時の破損、変形などから保護することができるとともに、運搬時や保管時の作業者の負傷も防止することができる。
【００２８】
内枠２３は、図３（Ｂ）に示すように、前面枠３に取付けられる矩形状の開口部２０を上寄りに開設した略額縁状の部材である。この内枠２３の遊技盤収納部７０（図５参照）内に遊技盤５を交換可能な状態で取り付けることができる。
【００２９】
内枠２３の開口部２０の内周縁の遊技機前面から見て左側部には、区画部４１が設けられている。内枠２３には、前述したガイドレール４９の遊技盤５からはみ出した部分が嵌合される、球移動領域１２２の一部を構成する球移動部４０が、区画部４１によって形成されている。この球移動部４０を内枠２３に形成し、遊技盤５に形成された球移動領域１２２と接続して、ガイドレール４９を発射球案内部材６１の外側に露出させることで、遊技に使用される領域を拡大することが可能となる。
【００３０】
ここで、前述したように、従来、内枠の前面に、遊技盤の遊技領域を囲むように内周面にレール案内部を成形した覆い部材を取付けた外側レールを取付けるものがある（特許文献１参照）。
【００３１】
しかし、本願発明の第１の実施形態では、内枠に対して外側レールを取り付ける必要がないことから、部品点数の削減が可能となる。さらに外側レールの取付け作業も必要ないため、作業性の向上を実現することができる。
【００３２】
次に遊技盤５上に球移動領域１２２を区画する区画部材について説明する。
【００３３】
図４は、本発明の第１の実施の形態の遊技盤５と区画部材４５の分解斜視図である。
【００３４】
遊技盤５は、図４に示すように、合板やプラスチックなどからなる遊技盤５の表面に、装飾用のセルシートを貼付し、該セルシートの上から球移動領域１２２を略円形に区画して、球移動領域１２２、並びに球発射通路１２１及び遊技領域７を形成するための区画部材４５を、遊技盤５の各辺に沿う状態で止着されている。この区画部材４５は、前述したように、発射装置から発射された遊技球を遊技領域７へ案内し、球発射通路１２１及び遊技領域７の球発射通路側（図中左側）を区画する略Ｃ字状の第１区画部材４６と、該第１区画部材４６の一端（図中右上端）に隣接した状態で遊技盤５にネジ止め等の手段によって固定され、遊技領域７の右上側を区画する第２区画部材４７と、上記第１区画部材４６の他端（図中右下端）に隣接した状態で遊技盤５にネジ止め等の手段によって固定されているとともに第２区画部材４７に隣接した状態で遊技盤５にネジ止め等の手段によって固定され、遊技領域７の右下側を区画する第３区画部材４８とに３分割して構成されている。
【００３５】
第１区画部材４６は、球移動領域１２２の球発射通路側（図中左側）を区画する部材であり、遊技盤５の前面側に球発射通路１２１を形成する合成樹脂製の発射球案内部材６１と、該発射球案内部材６１に取り付けられる金属製のガイドレール４９と、遊技盤５の前方からガイドレール４９を発射球案内部材６１に取り付けるためのガイドレール取付部材６３とにより構成されている。
【００３６】
また、第１区画部材４６は、遊技盤５の上方左側部（図中上方左側部）に位置する部分に指先を引っ掛けられる程度の窪部を設けて、遊技盤５を内枠２３から着脱する際のハンドル部５０が形成され、さらに、遊技盤５に取り付けられた状態における、遊技盤５の上辺左側に位置する箇所に、後述する内枠２３の引掛片３０を係合する取付部３３を備えている。
【００３７】
ここで、第１区画部材は、この発射球案内部材６１に設けられたガイドレール４９を支持する壁部６７の一部（図中左端）を欠いた構成としている。これにより、後述するように、この欠いた部分からガイドレール４９を発射球案内部材６１の外側に露出して、球発射通路１２１を内枠２３に形成することによって、球移動領域１２２と球移動部４０を接続することで遊技に使用される領域を拡大することができる。
【００３８】
ガイドレール４９は、壁部６７と略同じ幅を有する帯状の金属板（例えば、ステンレス鋼板）により形成されており、壁部６７の内周面に、その長手方向に沿って円弧状に湾曲した状態で取り付けられている。このガイドレール４９は、上下各端を遊技領域７の外側に向かってクランク状に屈曲している。なお、本実施形態におけるガイドレール４９の材質は、上記したステンレス鋼に限らず、例えば、鉄に亜鉛メッキを施したものでもよい。
【００３９】
第２区画部材４７は、遊技領域７側の端部に円弧状の区画壁５１を一体成形している。この区画壁５１は、遊技盤５の上部から右側中央部分にかけて遊技盤５の前方に向かって起立しており、球発射通路１２１から遊技領域７へ誘導された遊技球が遊技領域７の外へ飛び出さないようにしている。
【００４０】
また、第２区画部材４７は、遊技盤５の上方右側部（図中上方右側部）に位置する部分に指先を引っ掛けられる程度の窪部を設けて、遊技盤５を内枠２３から着脱する際のハンドル部５６が形成され、さらに、遊技盤５の上辺右側に位置する部分に、後述する内枠２３の引掛片３１を係合する取付部３４を備えている。
【００４１】
第３区画部材４８は、遊技領域７側の端部に円弧状の区画壁５２を一体成形している。この区画壁５２は、一端（図中上端）を区画壁５１の下端に連続するように設けられており、遊技盤５の左側中央部分から下部にかけて遊技盤５の前方に向かって起立している。そして、第３区画部材４８は、前面の一部に認可シールや確率スペック等の表示シールを貼付して掲示する掲示部５３を備えている。
【００４２】
また、第３区画部材４８は、遊技盤５の下方左側部（図中下方左側部）に位置する部分に指先を引っ掛けられる程度の窪部を設けて、遊技盤５を内枠２３から着脱する際のハンドル部５８が形成され、さらに、遊技盤５に取り付けられた状態における、遊技盤５の上辺左側に位置する箇所に、後述する内枠２３の引掛片３０を係合する取付部３３を備えている。
【００４３】
図５は、本発明の第１の実施の形態の内枠２３の斜視図である。
【００４４】
前述したように、内枠２３は、前面枠３に取付けられる矩形状の開口部２０を上寄りに開設した略額縁状の部材である。
【００４５】
内枠２３は、一体成型した合成樹脂製の枠体であり、遊技盤収納部７０内に遊技盤５を交換可能な状態で取付けることができる。遊技盤収納部７０は、内枠２３の裏側の内周縁の上部に設けられた内周縁上部（図示省略）、内枠２３の左右に設けられた左の側壁部７８及び右の側壁部（図示省略）、並びに内枠２３の下部に設けられた底面部７４によって四方を囲むことによって形成されている。内枠２３の開口部２０の内周縁上部に、遊技盤５を係合するための引掛片３０、３１が形成されており、遊技盤５の上辺の左右にそれぞれ設けた取付部３３、３４（図４参照）とにより遊技盤５を着脱可能な状態で止着することができるように構成されている。
【００４６】
引掛片３０、３１は、遊技盤５の上辺のそれぞれ左右の取付部に係合して遊技盤を掛止する部材である。また、引掛片３０、３１は、弾性を有する部材、例えば金属により形成されており、引掛片３０、３１を前方に撓ませることにより復元力を生じて、この復元力によって遊技盤５を、後方へ押し付けながら掛止できるように構成されている。
【００４７】
また、内枠２３は、開口部の内周縁の左側の側壁部７８の上側左部及び上側右部、並びに右側の側壁部の下側左部にクランプ５４、５５及び５９を備えている。このクランプ５４、５５及び５９は、遊技盤５を後方へ押え付けながら固定するための部材である。
【００４８】
まず、クランプ５４、５５及び５９が遊技盤５の配置される領域から退避するように、左側のクランプ５４及び５９は時計回りに回動させて下向させ、右側のクランプ５５は反時計回りに回動させて下向させる（図３参照）。次に、遊技盤５を前述した引掛片３０、３１で掛止して内枠に嵌め込んだ後、クランプ５４、５５及び５９が遊技盤の前面に配置されるように、クランプ５４及び５９を反時計回りに回動させ、クランプ５５を時計回りに回動させる。これによって、クランプ５４、５５及び５９と内枠２３の前面部との間で遊技盤５の左右側部にそれぞれ設けられたハンドル部５０、５６及び５８（図４参照）を挟み込むことによって、遊技盤５を固定することができるように構成されている。
【００４９】
また、前述したように、内枠２３の遊技盤収納部７０の左の側壁部７０に、前述したガイドレール４９の遊技盤５からはみ出した部分が嵌合される球移動部４０が形成されている。この球移動部４０を内枠２３に形成し、遊技盤５に形成された球移動領域１２２と接続することによって、遊技に使用される領域を拡大することが可能となる。
【００５０】
なお、本実施の形態では、クランプ５４、５５及び５９を内枠２３の遊技盤収納部７０の左の側壁部７８の上側左部及び上側右部並びに右の側壁部の下側左部に設けているが、クランプ５４、５５及び５９を遊技盤収納部７０の左の側壁部７０及び／又は右の側壁部の中央部又は下部に設けてもよく、また、遊技盤収納部７０の底面部７４に設けてもよい。
【００５１】
ここで、クランプ５４、５５及び５９を、内枠２３に形成された球移動部４０を回避して設けることによって、球移動領域１２２と球移動部４０の接続による遊技に使用される領域の拡大を妨げずに、遊技盤５を内枠２３に固定することが可能となる。
【００５２】
図６は本発明の第１の実施の形態の遊技盤５とガイドレール保護部材３６とが結合している状態の斜視図である。
【００５３】
図６に示すように、遊技盤５には、遊技盤５の各辺に沿う状態で第1区画部材４６、第２区画部材４７及び第３区画部材４８が止着されている。これらの区画部材が遊技盤５に止着されることで、遊技盤５から遊技機前方へ向かって起立した壁部６２によって遊技盤５が区画される。これによって遊技球が転動する遊技領域７、遊技領域に向けて発射された遊技球を遊技領域に誘導する球発射通路１２１及びこれらから形成される球移動領域１２２が形成される。また、前述したように、遊技盤５の左側の第１区画部材４６の欠けた部分からガイドレール４９がはみ出すことになるが、この遊技盤５の左側には、前述したガイドレール保護部材３６が結合されている。
【００５４】
このように、遊技盤５に第１区画部材４６〜第３区画部材４８によって形成される球移動領域１２２は、内枠２３の左側に形成された球移動部４０と接続されることによって、遊技に使用される領域が拡大されている。
【００５５】
図７は、本発明の第1の実施の形態の球移動領域１２２の球発射通路１２１の説明図である。図７（Ａ）は、球発射通路１２１の正面図である。図７（Ｂ）は、図７（Ａ）の球発射通路１２１のＡ−Ａ断面図である。
【００５６】
球発射通路１２１は、図７（Ａ）に示すように、左右の壁はそれぞれ外側レール６ａ及び内側レール６ｂによって、底面は内枠２３に備えられた区画部４１及び遊技盤５によって構成される。
【００５７】
外側レール６ａ及び内側レール６ｂは、ともに円弧状に形成されている。外側レール６ａは、発射された遊技球を球発射通路１２１の外側から案内することで遊技機正面から見て時計回りに回転運動させて遊技領域７まで導く。内側レール６ｂは、球発射通路１２１と遊技領域７とを区画して遊技球が遊技領域７に流入することを防止する。
【００５８】
なお、外側レール６ａは、その内側にガイドレール４９が取付けられているため、球移動領域１２２と球移動部４０の接続部分を遊技球が通過する際にも、遊技球は滑らかに外側レール６ａに取付けられたガイドレール４９に沿って球発射通路１２１を遊技領域７に向けて移動することができ、発射された遊技球の流れに支障を来すことなく、スムーズに遊技球を誘導することができる。
【００５９】
また、球発射通路１２１の底面８０は、内枠に形成されている底面８１と遊技盤に形成されている底面８２とから構成されており、図７（ｂ）に示すように、内枠２３に設けられた区画部４１の底面８１と遊技盤５の底面８２とが略同一面を形成している。これによって、底面８１と底面８２に段差がないので、球移動領域１２２と球移動部４０の接続部分を遊技球が通過する際にも、遊技球は滑らかに球発射通路１２１を遊技領域７に向けて移動することができ、発射された遊技球の流れに支障を来すことなく、スムーズに遊技球を誘導することができる。
【００６０】
なお、本実施の形態では、外側レール６ａは、遊技盤５から垂直に起立しているが、外側レール６ａを遊技機の内側（遊技領域７側）に傾斜させてもよい。
【００６１】
外側レール６ａを内側に傾斜させた場合には、球発射通路１２１を転動する遊技球を、球発射通路１２１の底面８０に押し付けるようにしながら誘導することができ、発射された遊技球の流れに支障を来すことなく、スムーズに遊技球を誘導することができる。
【００６２】
さらに、本実施の形態においては、内枠２３に設けられた区画部４１に形成されている底面８１及び遊技盤５に形成されている底面８２から形成されている球発射通路１２１の底面８０は、遊技盤７と平行な平面によって構成されているが、これに限らず、底面８０は遊技盤７との関係において傾斜していてもよく、さらに、底面８０は曲面によって一部又は全部を構成してもよい。
【００６３】
〈第１の実施の形態の変形例〉
ここで、本発明の第1の実施の形態の変形例について説明する。
【００６４】
この変形例は、ガラス枠８の枠の一部を半透明の樹脂製とする構成である点が異なる。なお、第１の実施の形態と同一の作用を行う構成には同一の符号を付し、その説明を省略する。
【００６５】
図８は、本発明の第１の実施の形態の変形例の遊技機（パチンコ機）２０１の正面図である。
【００６６】
この変形例は、図８に示すように、ガラス枠８の枠の左側の球発射通路１２１を覆う部分を半透明の樹脂製として、背後の球発射通路１２１を遊技者が視認可能な半透明部２０２を形成した構成になっている。これによって、球移動領域１２２が視認可能となっている。
【００６７】
また、遊技盤５の前面枠３にヒンジ４ｂを介して開閉可能に取り付けられたガラス枠８の前面には、略円形状の開口部１０ａとともに、開口部１０ａの円弧を外側に右下方に拡張するようにして形成された切欠部１０ｂ形成されている。
【００６８】
この切欠部１０ｂによって、証紙プレート３０１に覆われた領域内の、三連の７セグメントＬＥＤよりなる遊技状態表示器１１が、視認可能となっている。
【００６９】
（第２の実施の形態）
次に、第２の実施の形態について説明する。
【００７０】
第２の実施の形態は、球移動領域２１２２と接続することによって、遊技に使用される領域を拡大する球移動部２０４０が遊技機正面から見て右側に形成されている点が異なる。なお、第１の実施の形態と同一の作用を行う構成には同一の符号を付し、その説明を省略する。
【００７１】
図９及び図１０は、本発明の第２の実施の形態の遊技機２００１の拡大された球移動領域２１２２を説明する図である。
【００７２】
図９は、本発明の第２の実施の形態のガラス枠８と内枠２３を示す正面図である。
【００７３】
本実施の形態の遊技機２００１は、内枠２３の右側部に区画部２０４１が設けられている。この区画部２０４１によって球移動領域２１２２と接続することによって遊技に使用される領域を拡大する球移動部２０４０が形成されている。これによって、遊技に使用される領域が遊技盤５から遊技機正面から見て右にはみ出して拡大されている。また、ガラス枠８は、この球移動部２０４０を転動する遊技球を視認できるように、略半円形の開口部１０ａは右に（図中左）に拡大されている。
【００７４】
図１０は、本発明の第２の実施の形態の遊技盤５と内枠２３の説明図である。図１０（Ａ）は、第１区画部材４６、第２区画部材４７、第３区画部材４８及びガイドレール４９等によって形成される区画部材４５が取付けられた遊技盤５の説明図である。図１０（Ｂ）は、遊技機正面から見て右側に、内枠２３が有する区画部２０４１によって球移動部２０４０が形成された内枠２３の説明図である。
【００７５】
遊技盤５は、図１０（Ａ）に示すように、第１区画部材４６、第２区画部材４７、第３区画部材４８及びガイドレール４９等の区画部材が取付けられている。
【００７６】
内枠２３は、図１０（Ｂ）に示すように、前面枠３に取付けられる矩形状の開口部２０を上寄りに開設した略額縁状の部材である。
【００７７】
内枠２３の開口部２０の内周縁の遊技機前面から見て右側部には、区画部２０４１が設けられている。遊技盤５に取付けられた区画部材の切れ目と接続される球移動部２０４０が形成されている。この球移動部２０４０を内枠２３に形成することによって、第２区画部材４７及び第３区画部材４８と内枠２３に備えられ球移動部２０４０を区画する区画部２０４１とを接続することで、球移動領域２１２２内枠を２３に形成された球移動部２０４０と接続して、遊技に使用される領域を拡大することが可能となる。
【００７８】
以上説明したように、第２の実施の形態では、球移動領域２１２２を拡大する球移動部２０４０を遊技盤５の右側に形成している。これによって、拡大された部分が接続されるのは、第１の実施の形態のように球発射通路ではなく遊技領域であるため、区画部２０４１によって内枠２３に形成された球移動部２０４０のとの接続部分の状態が遊技球の流れに及ぼす影響は比較的少ないので、内枠２３の底面と遊技盤５の底面との接続面が多少ずれていたり、接続されて出来た形状が完全な弧を描いていなくても遊技に来す支障が少ないことによって、内枠２３と遊技盤５との接続状態の条件を緩和しつつ球移動領域を拡大することが可能となる。
【００７９】
上記した実施形態は、代表的な弾球遊技機であるパチンコ遊技機を例にして説明したが、本発明はこれに限らず、遊技球を発射装置から球発射通路を通して遊技領域に発射して遊技を行う弾球遊技機であればどのような遊技機でもよい。例えば、内部に封入した遊技球を循環させる封入球式パチンコ機、アレンジボール式遊技機等の弾球遊技機であってもよい。
【００８０】
また、今回開示した実施の形態は、全ての点で例示であって制限的なものではないと考えられるべきである。本発明の範囲は上記した説明ではなくて特許請求の範囲によって示され、特許請求の範囲と均等の意味及び内容の範囲での全ての変更が含まれることが意図される。例えば、今回開示した実施の形態では、球移動領域を内枠の左又は右に拡大した例を例示したが、内枠の上方に拡大してもよく、さらに拡大する箇所は、一箇所に限らず複数であってもよい。
【図面の簡単な説明】
【００８１】
【図１】本発明の第１の実施の形態の遊技機全体の構成を示す正面図である。
【図２】本発明の第１の実施の形態のガラス枠が開放された内枠の構成を示す正面図である。
【図３】本発明の第１の実施の形態の遊技盤と内枠の説明図である。
【図４】本発明の第１の実施の形態の遊技盤と区画部材の分解斜視図である。
【図５】本発明の第１の実施の形態の内枠の斜視図である。
【図６】本発明の第１の実施の形態の遊技盤とガイドレール保護部材とが結合している状態の斜視図である。
【図７】本発明の第１の実施の形態の球移動領域の球発射通路の説明図である。
【図８】本発明の第１の実施の形態の変形例の遊技機全体の構成を示す正面図である。
【図９】本発明の第２の実施の形態のガラス枠と内枠を示す正面図である。
【図１０】本発明の第２の実施の形態の遊技盤と内枠の説明図である。
【符号の説明】
【００８２】
１  遊技機
３  前面枠
５  遊技盤
７  遊技領域
６ａ  外側レール
６ｂ  内側レール
２３  内枠
３０、３１  引掛片
３３  取付部
３４  取付部
４０  球移動部
４１  区画部
４５  区画部材
４６  第１区画部材
４７  第２区画部材
４８  第３区画部材
４９  ガイドレール
５０、５６、５８  ハンドル部
５４、５５、５９  クランプ
１２１  球発射通路
１２２  球移動領域
２００１  遊技機
２０４０  球移動部
２１２１  球発射通路
２１２２  球移動領域
【図１】
2007181529.tif 000003
【図２】
2007181529.tif 000004
【図３】
2007181529.tif 000005
【図４】
2007181529.tif 000006
【図５】
2007181529.tif 000007
【図６】
2007181529.tif 000008
【図７】
2007181529.tif 000009
【図８】
2007181529.tif 000010
【図９】
2007181529.tif 000011
【図１０】
2007181529.tif 000012